(57)【特許請求の範囲】
【請求項１】
空気が流れるダクト内に突出するように配置され、前記ダクト内を流れる空気の一部を取り込む筐体と、
この筐体内に収容され、取り込んだ空気との伝熱により前記ダクト内の空気の流量に応じた電気信号を発生するセンサとを備え、
前記筐体は、
前記ダクト内から空気を取り込むとともに、取り込んだ空気を前記ダクト内に放出する第１流路と、
この第１流路から分岐し、前記第１流路から空気を取り込んで前記第１流路とは別に前記ダクト内に空気を放出するとともに、前記センサを収容する第２流路とを有し、
前記第１流路は、前記第２流路の分岐位置よりも下流側で絞りをなし、空気を絞りながら前記ダクト内に放出し、
前記絞りを形成する絞り壁面上の各点における法線ベクトルを、前記絞りの内側に向かう方向に定義し、
前記分岐位置において前記第２流路に向かう空気の流れ方向のベクトルを、前記ダクトの流路軸に垂直な切断面の１つであって前記分岐位置を面内に含む基準切断面に垂直投影して得られる投影ベクトルを基準ベクトルと定義し、
さらに、前記絞りに空気が流入する方向および前記基準ベクトルの両方に平行な平面に垂直な方向を幅方向と定義すれば、
前記絞り壁面には、前記法線ベクトルが前記幅方向にベクトル成分を有し、かつ、前記法線ベクトルと前記基準ベクトルとのなす角度θが９０°＜θ＜１８０°の範囲にある特定範囲が存在し、
前記特定範囲では、前記法線ベクトルと前記基準ベクトルとのなす角度が１１０°以上であることを特徴とする空気流量測定装置。
【請求項２】
空気が流れるダクト内に突出するように配置され、前記ダクト内を流れる空気の一部を取り込む筐体と、
この筐体内に収容され、取り込んだ空気との伝熱により前記ダクト内の空気の流量に応じた電気信号を発生するセンサとを備え、
前記筐体は、
前記ダクト内から空気を取り込むとともに、取り込んだ空気を前記ダクト内に放出する第１流路と、
この第１流路から分岐し、前記第１流路から空気を取り込んで前記第１流路とは別に前記ダクト内に空気を放出するとともに、前記センサを収容する第２流路とを有し、
前記第１流路は、前記第２流路の分岐位置よりも下流側で絞りをなし、空気を絞りながら前記ダクト内に放出し、
前記絞りを形成する絞り壁面上の各点における法線ベクトルを、前記絞りの内側に向かう方向に定義し、
前記分岐位置において前記第２流路に向かう空気の流れ方向のベクトルを、前記ダクトの流路軸に垂直な切断面の１つであって前記分岐位置を面内に含む基準切断面に垂直投影して得られる投影ベクトルを基準ベクトルと定義し、
さらに、前記絞りに空気が流入する方向および前記基準ベクトルの両方に平行な平面に垂直な方向を幅方向と定義すれば、
前記絞り壁面には、前記法線ベクトルが前記幅方向にベクトル成分を有し、かつ、前記法線ベクトルと前記基準ベクトルとのなす角度θが９０°＜θ＜１８０°の範囲にある特定範囲が存在し、
前記筐体には、前記絞りの流路軸を挟んで前記第２流路の分岐口の反対側で、前記絞りを前記ダクト内に開放する開口が設けられていることを特徴とする空気流量測定装置。
【請求項３】
空気が流れるダクト内に突出するように配置され、前記ダクト内を流れる空気の一部を取り込む筐体と、
この筐体内に収容され、取り込んだ空気との伝熱により前記ダクト内の空気の流量に応じた電気信号を発生するセンサとを備え、
前記筐体は、
前記ダクト内から空気を取り込むとともに、取り込んだ空気を前記ダクト内に放出する第１流路と、
この第１流路から分岐し、前記第１流路から空気を取り込んで前記第１流路とは別に前記ダクト内に空気を放出するとともに、前記センサを収容する第２流路とを有し、
前記第１流路は、前記第２流路の分岐位置よりも下流側で絞りをなし、空気を絞りながら前記ダクト内に放出し、
前記絞りを形成する絞り壁面上の各点における法線ベクトルを、前記絞りの内側に向かう方向に定義し、
前記分岐位置において前記第２流路に向かう空気の流れ方向のベクトルを基準ベクトルと定義し、
さらに、前記絞りに空気が流入する方向および前記基準ベクトルの両方に平行な平面に垂直な方向を幅方向と定義すれば、
前記絞り壁面には、前記法線ベクトルが前記幅方向にベクトル成分を有し、かつ、前記法線ベクトルと前記基準ベクトルとのなす角度θが９０°＜θ＜１８０°の範囲にある特定範囲が存在し、
前記特定範囲では、前記法線ベクトルと前記基準ベクトルとのなす角度が１１０°以上であることを特徴とする空気流量測定装置。
【請求項４】
空気が流れるダクト内に突出するように配置され、前記ダクト内を流れる空気の一部を取り込む筐体と、
この筐体内に収容され、取り込んだ空気との伝熱により前記ダクト内の空気の流量に応じた電気信号を発生するセンサとを備え、
前記筐体は、
前記ダクト内から空気を取り込むとともに、取り込んだ空気を前記ダクト内に放出する第１流路と、
この第１流路から分岐し、前記第１流路から空気を取り込んで前記第１流路とは別に前記ダクト内に空気を放出するとともに、前記センサを収容する第２流路とを有し、
前記第１流路は、前記第２流路の分岐位置よりも下流側で絞りをなし、空気を絞りながら前記ダクト内に放出し、
前記絞りを形成する絞り壁面上の各点における法線ベクトルを、前記絞りの内側に向かう方向に定義し、
前記分岐位置において前記第２流路に向かう空気の流れ方向のベクトルを基準ベクトルと定義し、
さらに、前記絞りに空気が流入する方向および前記基準ベクトルの両方に平行な平面に垂直な方向を幅方向と定義すれば、
前記絞り壁面には、前記法線ベクトルが前記幅方向にベクトル成分を有し、かつ、前記法線ベクトルと前記基準ベクトルとのなす角度θが９０°＜θ＜１８０°の範囲にある特定範囲が存在し、
前記筐体には、前記絞りの流路軸を挟んで前記第２流路の分岐口の反対側で、前記絞りを前記ダクト内に開放する開口が設けられていることを特徴とする空気流量測定装置。
【請求項５】
請求項１または請求項３に記載の空気流量測定装置において、
前記筐体には、前記絞りの流路軸を挟んで前記第２流路の分岐口の反対側で、前記絞りを前記ダクト内に開放する開口が設けられていることを特徴とする空気流量測定装置。
【請求項６】
請求項１ないし請求項５に記載の空気流量測定装置において、
前記ダクトには、前記筐体を前記ダクト内に挿入して突出させるための挿入穴が設けられ、
前記筐体は、前記第１流路の空気の取込口が前記ダクトの流路軸と交差するように、前記挿入穴から直線的に挿入されて前記ダクトに固定され、
前記基準ベクトルは前記筐体を前記ダクト内に直線的に挿入する方向と平行であることを特徴とする空気流量測定装置。
【発明の詳細な説明】
【技術分野】
【０００１】
本発明は、空気の流量を測定する空気流量測定装置に関するものである。
【背景技術】
【０００２】
従来から、空気との伝熱を利用して空気の流量を測定する熱式の空気流量測定装置が公知であり、例えば、内燃機関への吸気路をなすダクト内に配置され、内燃機関に吸入される空気の流量（以下、内燃機関に吸入される空気を吸気と呼ぶことがあり、吸気の流量を吸気量と呼ぶことがある。）を測定するために利用されている。
【０００３】
この空気流量測定装置は、吸気が流れるダクト内に突出するように配置されて吸気の一部を取り込む筐体と、筐体内に収容されて取り込んだ吸気との伝熱によりダクト内の吸気量に応じた電気信号を発生するセンサとを備える。そして、空気流量測定装置では、筐体内に進入したダストがセンサに衝突してセンサを傷付けるのを防止するため、例えば、特許文献１に示すような流路構成が採用されている。
【０００４】
すなわち、筐体は、ダクト内から吸気を取り込むとともに、取り込んだ吸気をダクト内に放出する第１流路と、第１流路から分岐し、第１流路から吸気を取り込んで第１流路とは別にダクト内に吸気を放出する第２流路とを備え、センサは第２流路に収容される。また、第１流路は、第２流路の分岐位置よりも下流側で絞りをなし、吸気を絞りながらダクト内に放出する。これにより、第１流路に進入したダストを、第２流路に進ませることなく、慣性力により絞りに進ませ、絞りを形成する壁面（以下、絞り壁面と呼ぶ。）に衝突させながらダクト内に戻すことを意図している。
【０００５】
さらに、特許文献１の空気流量測定装置によれば、一旦、絞りに進んだダストが絞り壁面への衝突により逆行して第２流路に進むのを抑制することを意図して、絞り壁面が設定されている（以下、一旦、絞りに進んだダストが絞り壁面への衝突により逆行して第２流路に進む現象を、「再進入」と呼ぶ。）。
【０００６】
ところで、特許文献１の空気流量測定装置によれば、絞り壁面は、ダストの衝突が理想的衝突になることを想定して設定されている。
ここで、理想的衝突とは、衝突面に対する衝突物の入射角と反射角とが略一致する衝突態様であり（図１１（ａ）参照。）、例えば、衝突物の形状が球状に近似するほど、衝突態様は理想的衝突に近付いていくものと考えられている。
【０００７】
しかし、ダストの形状は、全てが球状に近似するものではなく多様であるため、絞り壁面に対するダストの衝突態様は、必ずしも理想的衝突にならず、入射角と反射角とが略一致しない非理想的衝突（図１１（ｂ）参照。）になる場合も考えられる。このため、ダストの再進入を抑制するため、理想的衝突に基づき絞り壁面を設けても、再進入抑制に関して所望の効果を得られない状況も考えられる。
したがって、ダスト衝突に伴うセンサ傷付きの防止に対する信頼性を高めるには、非理想的衝突を考慮して更なる改善策を採用する必要がある。
【先行技術文献】
【特許文献】
【０００８】
【特許文献１】特開２００８−３０９６１４号公報
【発明の概要】
【発明が解決しようとする課題】
【０００９】
本発明は、上記の問題点を解決するためになされたものであり、その目的は、空気流量測定装置において、ダスト衝突に伴うセンサ傷付きの防止に対する信頼性を高めることにある。
【課題を解決するための手段】
【００１０】
〔請求項１の手段〕
請求項１の手段によれば、空気流量測定装置は、空気が流れるダクト内に突出するように配置され、ダクト内を流れる空気の一部を取り込む筐体と、筐体内に収容され、取り込んだ空気との伝熱によりダクト内の空気の流量に応じた電気信号を発生するセンサとを備える。また、筐体は、ダクト内から空気を取り込むとともに、取り込んだ空気をダクト内に放出する第１流路と、第１流路から分岐し、第１流路から空気を取り込んで第１流路とは別にダクト内に空気を放出するとともに、センサを収容する第２流路とを有する。さらに、第１流路は、第２流路の分岐位置よりも下流側で絞りをなし、空気を絞りながらダクト内に放出する。
【００１１】
そして、絞りを形成する絞り壁面上の各点に関し、絞りの内側に向かう方向に法線ベクトルを定義する。また、分岐位置において第２流路に向かう空気の流れ方向のベクトルを、ダクトの流路軸に垂直な切断面の１つであって分岐位置を面内に含む基準切断面に垂直投影して得られる投影ベクトルを基準ベクトルと定義する。さらに、絞りに空気が流入する方向および基準ベクトルの両方に平行な平面に垂直な方向を幅方向と定義すれば、絞り壁面には、法線ベクトルが幅方向にベクトル成分を有し、かつ、法線ベクトルと基準ベクトルとのなす角度θが９０°＜θ＜１８０°の範囲にある特定範囲が存在する。
【００１２】
これにより、絞りに進んだダストの内、特定範囲に衝突したものは、理想的衝突または非理想的衝突に係わらず再進入を生じにくくなる。このため、一旦、絞りに進んだダストの内、再進入を生じるダストの割合を低減することができるので、空気流量測定装置において、ダストの再進入を抑制して、ダスト衝突に伴うセンサ傷付きの防止に対する信頼性を高めることができる。
【００１３】
さらに、請求項１の手段によれば、特定範囲では、法線ベクトルと基準ベクトルとのなす角度が１１０°以上である。
これにより、絞り壁面において入射角と反射角との差分の絶対値が２０°以下となる非理想的衝突をするダストの内、再進入を生じるダストの割合を大幅に低減することができる。
【００１４】
〔請求項２の手段〕
請求項２の手段によれば、筐体には、絞りの流路軸を挟んで第２流路の分岐口の反対側で、絞りをダクト内に開放する開口が設けられている。
これにより、特定範囲に衝突したダストを分岐口の反対側でダクト内に放出しやすくなるので、ダスト衝突に伴うセンサ傷付きの防止に対する信頼性を、さらに高めることができる。
【００１５】
〔請求項３、４の手段〕
請求項３、４の手段によれば、分岐位置において第２流路に向かう空気の流れ方向のベクトルを基準ベクトルと定義する。
これにより、請求項３、４の手段はそれぞれ請求項１、２の手段と同様の作用効果を得ることができる。
【００１６】
〔請求項５の手段〕
請求項５の手段によれば、特定範囲では、法線ベクトルと基準ベクトルとのなす角度が１１０°以上であり、かつ、筐体には、絞りの流路軸を挟んで第２流路の分岐口の反対側で、絞りをダクト内に開放する開口が設けられている。
これにより、請求項１、３および請求項２、４の両方の作用効果を得ることができる。
【００１７】
〔請求項６の手段〕
請求項６の手段によれば、ダクトには、筐体をダクト内に挿入して突出させるための挿入穴が設けられ、筐体は、第１流路の空気の取込口がダクトの流路軸と交差するように、挿入穴から直線的に挿入されてダクトに固定される。そして、基準ベクトルは筐体をダクト内に直線的に挿入する方向と平行である。
これにより、ダクト内における筐体の配置および特定範囲の設定が容易になる。
【図面の簡単な説明】
【００１８】
【図１】空気流量測定装置の内部を幅方向定義面により切断して示す断面図である（実施例１）。
【図２】空気流量測定装置の部分背面図である（実施例１）。
【図３】空気流量測定装置の第１放出口を示す部分斜視図である（実施例１）。
【図４】空気流量測定装置の絞り内部を幅方向定義面により切断して示す断面斜視図である（実施例１）。
【図５】内燃機関への吸気に含まれるダストに関し、衝突面への入射角と反射角との差分の分布を示す分布図である（実施例１）。
【図６】空気流量測定装置の内部を幅方向定義面により切断して示す断面図である（実施例２）。
【図７】空気流量測定装置の内部を幅方向定義面により切断して示す断面図である（実施例３）。
【図８】空気流量測定装置の部分背面図である（実施例３）。
【図９】空気流量測定装置の第１放出口を示す部分斜視図である（実施例３）。
【図１０】空気流量測定装置の絞り内部を幅方向定義面により切断して示す断面斜視図である（実施例３）。
【図１１】（ａ）は理想的衝突を示す説明図であり、（ｂ）は非理想的衝突を示す説明図である（従来例）。
【発明を実施するための形態】
【００１９】
実施形態１の空気流量測定装置は、空気が流れるダクト内に突出するように配置され、ダクト内を流れる空気の一部を取り込む筐体と、筐体内に収容され、取り込んだ空気との伝熱によりダクト内の空気の流量に応じた電気信号を発生するセンサとを備える。また、筐体は、ダクト内から空気を取り込むとともに、取り込んだ空気をダクト内に放出する第１流路と、第１流路から分岐し、第１流路から空気を取り込んで第１流路とは別にダクト内に空気を放出するとともに、センサを収容する第２流路とを有する。さらに、第１流路は、第２流路の分岐位置よりも下流側で絞りをなし、空気を絞りながらダクト内に放出する。
【００２０】
そして、絞りを形成する絞り壁面上の各点における法線ベクトルを、絞りの内側に向かう方向に定義する。また、分岐位置において第２流路に向かう空気の流れ方向のベクトルを、ダクトの流路軸に垂直な切断面の１つであって分岐位置を面内に含む基準切断面に垂直投影して得られる投影ベクトルを基準ベクトルと定義する。さらに、絞りに空気が流入する方向および基準ベクトルの両方に平行な平面に垂直な方向を幅方向と定義すれば、絞り壁面には、法線ベクトルが幅方向にベクトル成分を有し、かつ、法線ベクトルと基準ベクトルとのなす角度θが９０°＜θ＜１８０°の範囲にある特定範囲が存在する。
なお、実施形態１の空気流量測定装置によれば、分岐位置において第２流路に向かう空気の流れ方向のベクトルを基準ベクトルと定義してもよい。
【００２１】
また、ダクトには、筐体をダクト内に挿入して突出させるための挿入穴が設けられ、筐体は、第１流路の空気の取込口がダクトの流路軸と交差するように、挿入穴から直線的に挿入されてダクトに固定される。そして、基準ベクトルは筐体をダクト内に直線的に挿入する方向と平行である。
さらに、特定範囲では、法線ベクトルと基準ベクトルとのなす角度を１１０°以上にしてもよい。
実施形態２の空気流量測定装置によれば、筐体には、絞りの流路軸を挟んで第２流路の分岐口の反対側で、絞りをダクト内に開放する開口が設けられている。
【実施例】
【００２２】
〔実施例１の構成〕
実施例１の空気流量測定装置１の構成を、図１および図２を用いて説明する。
空気流量測定装置１は、空気との伝熱を利用して空気の流量を測定するものであり、例えば、内燃機関（図示せず）への吸気路２をなすダクト３内に配置され、ダクト３内の吸気量を測定するために利用されている。
【００２３】
すなわち、空気流量測定装置１は、吸気路２に突出するように配置されて吸気路２を流れる吸気の一部を取り込む筐体４と、筐体４内に収容されて取り込んだ吸気との伝熱により吸気量に応じた電気信号を発生するセンサ５と、電気信号を外部に送信等するためのコネクタ６とを備える。また、ダクト３には、筐体４をダクト３内に挿入して吸気路２に突出させるための挿入穴７が設けられ、筐体４は、吸気路２において所定の配置をとるように、挿入穴７から直線的に挿入されてダクト３に固定される。なお、コネクタ６は、ダクト３の外部に配置される。
【００２４】
筐体４は、ダクト３の流路軸（吸気路２の流路軸）に直交するように吸気路２に突出している。また、筐体４は、吸気路２から吸気を取り込むとともに、取り込んだ吸気を吸気路２に放出する第１流路９と、第１流路９から分岐し、第１流路９から吸気を取り込んで第１流路９とは別に吸気路２に放出する第２流路１０とを有し、センサ５は第２流路１０に収容されている。
【００２５】
ここで、第１流路９では、取り込まれた吸気が取込口１１から一方向に直線的に流れて吸気路２に放出される。また、取込口１１は、吸気路２の上流側に向かって吸気の流れに垂直となるように開口しており、吸気路２の流路軸と垂直に交差している。また、放出口（以下、第１流路９の放出口を第１放出口１２と呼ぶ。）は、吸気路２の下流側に向かって吸気路２における吸気の流れに垂直となるように開口している。さらに、第１流路９は、第２流路１０の分岐位置１４よりも下流側で絞り１５をなし、吸気を絞りながら吸気路２に放出する。
【００２６】
これにより、取込口１１から吸気とともに取り込んだダストを、第２流路１０に進ませることなく、慣性力により絞り１５に進ませ、絞り１５を形成する壁面（以下、絞り壁面１６と呼ぶ。）に衝突させながら吸気路２に戻すことを意図している。さらに、ダストを絞り１５に進むように誘導することで、第２流路１０に存在するセンサ５のダスト衝突による傷付き抑制を図っている。
【００２７】
また、第２流路１０では、第１流路９から流入してきた吸気が一時的に吸気路２における流れと逆向きに流れるように周回した後、再度、吸気路２おける流れと同じ向きに流れて吸気路２に放出される。これにより、筐体４の内部における吸気の流路長は、筐体４の外部を直線的に流れた場合の流路長よりも長くなる。また、第２流路１０では、下流側で２つに分岐しており、第２流路１０の放出口（以下、第２放出口１７と呼ぶ。）は２つ設けられている（図２参照。）。さらに、第２放出口１７は、２つとも、吸気路２の下流側に向かって吸気路２における吸気の流れに垂直となるように開口している。
【００２８】
そして、センサ５は、第２流路１０の最も奥側であって第１流路９から最も遠い位置に配置されている。なお、第２流路１０においてセンサ５が配置される位置では、吸気の流れが、吸気路２における吸気の流れと逆向きである。また、センサ５で発生した電気信号は、所定の処理が施されて空気流量測定装置１の外部の電子制御ユニット（図示せず）に出力され、例えば、燃料噴射制御等の各種の制御処理に利用される。
【００２９】
以上により、空気流量測定装置１は、吸気路２に直接的にセンサ５を配置するのではなく、筐体４内の第２流路１０にセンサ５を配置することで、吸気路２における吸気の乱れの影響を直接的に受けることなく、ばらつきの少ない測定値を出力することができる。また、空気流量測定装置１は、筐体４外の流路長よりも筐体４内における流路長を長くすることで、吸気路２における吸気の流れに脈動が発生しても精度の高い測定値を出力することができる。
【００３０】
〔実施例１の特徴〕
実施例１の空気流量測定装置１の特徴を、図１〜図４を用いて説明する。
空気流量測定装置１は、絞り壁面１６において、絞り壁面１６上の各点における法線ベクトル１９と、以下に定義する第１、第２基準ベクトル２０、２１との間に特有の関係を有する特定範囲２２が存在する。なお、法線ベクトル１９は、絞り壁面１６上の各点から絞り１５の内側に向かう方向に定義されるものである。
【００３１】
第１基準ベクトル２０は、分岐位置１４において第２流路１０に向かう空気の流れ方向を向くベクトルとして定義されるものである。
第２基準ベクトル２１は、第１基準ベクトル２０を基準切断面２３に垂直投影して得られる投影ベクトルとして定義されるものである。
【００３２】
ここで、基準切断面２３とは、空気流量測定装置１の切断面であって吸気路２の流路軸に垂直な切断面の内、分岐位置１４を面内に含むものである。そして、第２基準ベクトル２１は、筐体４をダクト３内に直線的に挿入する方向（以下、挿入方向と呼ぶ。）と平行であって逆向きである。
そして、絞り壁面１６には、以下のような特有の関係を有する特定範囲２２が存在し、特定範囲２２は、絞り壁面１６において、第２流路１０の分岐口２４の口縁と第１放出口１２の口縁とを接続するように連続性を有して広がっている。
【００３３】
ここで、特定範囲２２における特有の関係とは、法線ベクトル１９が幅方向にベクトル成分を有すること、および、法線ベクトル１９と第１、第２基準ベクトル２０、２１それぞれとのなす角度θ１、θ２が１１０°＜θ１＜１８０°、１１０°＜θ２＜１８０°の範囲にあることである。
【００３４】
なお、幅方向とは、絞り１５に吸気が流入する方向（以下、絞り流入方向と呼ぶ。）、および、第１、第２基準ベクトル２０、２１に平行な平面に垂直な方向である。以下、絞り流入方向、および、第１、第２基準ベクトル２０、２１に平行な平面のように、幅方向を定義するための平面を幅方向定義面２５と呼ぶ（図２等参照。）。
【００３５】
また、特定範囲２２は、ほぼ全領域が平面として設けられている。
さらに、特定範囲２２における法線ベクトル１９は、幅方向のベクトル成分以外に、吸気路２の流路軸と平行で上流側に向かう方向、および第２基準ベクトル２１と逆の方向にそれぞれベクトル成分を有する。すなわち、特定範囲２２における法線ベクトル１９は、幅方向、吸気路２の流路軸と平行で上流側に向かう方向、および第２基準ベクトル２１と逆の方向の３方向に分解することができる。
【００３６】
〔実施例１の効果〕
実施例１の空気流量測定装置１によれば、絞り壁面１６の特定範囲２２では、法線ベクトル１９が幅方向にベクトル成分を有し、かつ、角度θ１、θ２がそれぞれ９０°＜θ１＜１８０°、９０°＜θ２＜１８０°の範囲にある。
これにより、絞り１５に進んだダストの内、特定範囲２２に衝突したものは、理想的衝突または非理想的衝突に係わらず再進入を生じにくくなる。このため、一旦、絞り１５に進んだダストの内、再進入を生じるダストの割合を低減することができるので、空気流量測定装置１において、ダストの再進入を抑制して、ダスト衝突に伴うセンサ５の傷付き防止に対する信頼性を高めることができる。
【００３７】
さらに、特定範囲２２において、角度θ１、θ２を１１０°以上とすることで、絞り壁面１６において入射角と反射角との差分の絶対値が２０°以下となる非理想的衝突をするダストの内、再進入を生じるダストの割合を大幅に低減することができる。そして、内燃機関への吸気路２に空気流量測定装置１を配置して吸気量を測定する場合、絞り壁面１６に対するダストの入射角と反射角との差分は、３σが±２０°となる正規分布にほぼ従うので（図５参照。）、ダストの再進入抑制効果は極めて高くなる。
【００３８】
このため、空気流量測定装置１において、ダスト衝突に伴うセンサ５の傷付き防止に対する信頼性を、さらに高めることができる。
また、第２基準ベクトル２１は挿入方向と平行なので、吸気路２における筐体４の配置および特定範囲２２の設定が容易になる。
【００３９】
〔実施例２〕
実施例２の空気流量測定装置１によれば、図６に示すように、筐体４には、絞り１５の流路軸を挟んで分岐口２４の反対側で、絞り１５を吸気路２に開放する開口２７が設けられている。また、開口２７は、絞り壁面１６をなす部分の内、分岐口２４の反対側にある部分が第１放出口１２の口縁から上流側に向かって欠落することで形成されている。
これにより、特定範囲２２に衝突したダストを分岐口２４の反対側で吸気路２に放出しやすくなるので、ダスト衝突に伴うセンサ５の傷付き防止に対する信頼性を、さらに高めることができる。  
なお、実施例２の特定範囲２２では、角度θ１、θ２がそれぞれ９０°＜θ１＜１８０°、９０°＜θ２＜１８０°の範囲にある。
【００４０】
〔実施例３〕
実施例３の空気流量測定装置１を、図７〜図１０を用いて説明する。
まず、第１流路９は、曲線弧をなすように湾曲しており、第２流路１０は、曲線弧の外周側へ向かうように分岐している。また、特定範囲２２は、絞り壁面１６において、第１放出口１２の口縁から上流側に向かって、第２流路１０の分岐口２４の口縁に達することなく連続的に広がっている。
【００４１】
また、絞り壁面１６をなす部分の内、分岐口２４の側にある部分は、分岐口２４の反対側にある部分よりも下流側に突き出している。これにより、第１放出口１２は、吸気路２における吸気の流れに非垂直となるように開口しており、分岐口２４の反対側にある部分が第１放出口１２の口縁から上流側に向かって欠落しているのと同様の構成となっている。このため、実施例２で追加した作用効果と同様の作用効果を得ることができる。
なお、実施例３の特定範囲２２では、角度θ１、θ２がそれぞれ９０°＜θ１＜１８０°、９０°＜θ２＜１８０°の範囲にある。
【００４２】
〔変形例〕
空気流量測定装置１の態様は、実施例１〜３に限定されず様々な変形例を考えることができる。
例えば、実施例１の空気流量測定装置１によれば、特定範囲２２では、角度θ１、θ２が両方とも１１０°＜θ１＜１８０°、１１０°＜θ２＜１８０°の範囲にあったが、角度θ１、θ２のいずれか一方が１１０°よりも大きく、かつ、１８０°よりも小さくなるように特定範囲２２を設けてもよい。また、実施例２、３の空気流量測定装置１によれば、特定範囲２２では、角度θ１、θ２が両方とも９０°＜θ１＜１８０°、９０°＜θ２＜１８０°の範囲にあったが、角度θ１、θ２のいずれか一方が９０°よりも大きく、かつ、１８０°よりも小さくなるように特定範囲２２を設けてもよい。
【００４３】
また、実施例１〜３の空気流量測定装置１によれば、第２基準ベクトル２１のみが、挿入方向と平行であったが、第１基準ベクトル２０のみを挿入方向と平行にしてもよく、第１、第２基準ベクトル２０、２１が互いに平行となるように第１、第２流路９、１０を設けて、第１、第２基準ベクトル２０、２１の両方を挿入方向と平行にしてもよい。
【００４４】
また、実施例１〜３の空気流量測定装置１によれば、幅方向定義面２５は、絞り流入方向および第１、第２基準ベクトル２０、２１に平行な平面であったが、幅方向定義面２５を絞り流入方向および第１基準ベクトル２０に平行な平面としてもよく、幅方向定義面２５を絞り流入方向および第２基準ベクトル２１に平行な平面としてもよい。
【００４５】
また、実施例１〜３の空気流量測定装置１によれば、特定範囲２２における法線ベクトル１９は、幅方向、吸気路２の流路軸と平行で上流側に向かう方向、および第２基準ベクトル２１と逆の方向の３方向に分解することができるものであったが、法線ベクトル１９が幅方向、吸気路２の流路軸と平行で上流側に向かう方向、および第１基準ベクトル２０と逆の方向の３方向に分解することができるように特定範囲２２を設定してもよい。
【００４６】
さらに、実施例１〜３の空気流量測定装置１によれば、特定範囲２２は、ほぼ全領域が平面として設けられていたが、例えば、曲面のみで特定範囲２２を設けてもよく、曲面と平面との組み合わせで特定範囲２２を設けてもよい。
【符号の説明】
【００４７】
１  空気流量測定装置  ２  吸気路（ダクト内）  ３  ダクト  ４  筐体  ５  センサ  ７  挿入穴  ９  第１流路  １０  第２流路  １１  取込口  １４  分岐位置  １５  絞り  １６  絞り壁面  １９  法線ベクトル  ２０  第１基準ベクトル（基準ベクトル）  ２１  第２基準ベクトル（基準ベクトル）  ２２  特定範囲  ２３  基準切断面  ２４  分岐口  ２７  開口
【図１】
0005541298.tif 000002
【図２】
0005541298.tif 000003
【図３】
0005541298.tif 000004
【図４】
0005541298.tif 000005
【図５】
0005541298.tif 000006
【図６】
0005541298.tif 000007
【図７】
0005541298.tif 000008
【図８】
0005541298.tif 000009
【図９】
0005541298.tif 000010
【図１０】
0005541298.tif 000011
【図１１】
0005541298.tif 000012